(57)【要約】    【課題】  高ズーム比で全ズーム範囲及び全物体距離にわたり高い光学性能が容易に得られる小型のズームレンズを得ること。    【解決手段】  Ｎを６以上の整数として、物体側から像側へ順に配置された、正の屈折力の第１レンズ群、負の屈折力の第２レンズ群、１つ以上のレンズ群を含む中間群、負の屈折力の第（Ｎ−２）レンズ群、負の屈折力の第（Ｎ−１）レンズ群、正の屈折力の第Ｎレンズ群からなり、ズーミングに際して隣り合うレンズ群の間隔が変化するズームレンズであって、広角端から望遠端へのズーミングに際して第１レンズ群は物体側へ移動し、フォーカシングに際して第（Ｎ−２）レンズ群が移動し、広角端におけるレンズ全長Ｄｗ、広角端におけるバックフォーカスｓｋｗ、広角端における第（Ｎ−１）レンズ群と第Ｎレンズ群の合成系の横倍率βｎｐを各々適切に設定する。【選択図】    図１
2018022058.tif 000002
【特許請求の範囲】
【請求項１】
Ｎを６以上の整数として、物体側から像側へ順に配置された、正の屈折力の第１レンズ群、負の屈折力の第２レンズ群、１つ以上のレンズ群を含む中間群、負の屈折力の第（Ｎ−２）レンズ群、負の屈折力の第（Ｎ−１）レンズ群、正の屈折力の第Ｎレンズ群からなり、ズーミングに際して隣り合うレンズ群の間隔が変化するズームレンズであって、
広角端から望遠端へのズーミングに際して前記第１レンズ群は物体側へ移動し、フォーカシングに際して前記第（Ｎ−２）レンズ群が移動し、
広角端におけるレンズ全長をＤｗ、広角端におけるバックフォーカスをｓｋｗ、広角端における前記第（Ｎ−１）レンズ群と前記第Ｎレンズ群の合成系の横倍率をβｎｐとするとき、
８．０＜Ｄｗ／ｓｋｗ＜２０．０
０．８＜βｎｐ＜３．０
なる条件式を満足することを特徴とするズームレンズ。
【請求項２】
前記第（Ｎ−２）レンズ群の焦点距離をｆ（Ｎ−２）、前記第（Ｎ−１）レンズ群の焦点距離をｆ（Ｎ−１）とするとき、
０．１＜ｆ（Ｎ−２）／ｆ（Ｎ−１）＜２．０
なる条件式を満足することを特徴とする請求項１に記載のズームレンズ。
【請求項３】
望遠端における前記第（Ｎ−２）レンズ群の横倍率をβｆ、望遠端における前記第（Ｎ−１）レンズ群と前記第Ｎレンズ群の合成系の横倍率をβｒｔとするとき、
−１０．０＜（１−βｆ２）×βｒｔ２＜−３．０
なる条件式を満足することを特徴とする請求項１または２に記載のズームレンズ。
【請求項４】
前記第Ｎレンズ群の焦点距離をｆＮ、広角端におけるバックフォーカスをｓｋｗとするとき、
３．０＜ｆＮ／ｓｋｗ＜４０．０
なる条件式を満足することを特徴とする請求項１乃至３のいずれか１項に記載のズームレンズ。
【請求項５】
前記第（Ｎ−２）レンズ群の焦点距離をｆ（Ｎ−２）、広角端における全系の焦点距離をｆｗとするとき、
−５．０＜ｆ（Ｎ−２）／ｆｗ＜−１．０
なる条件式を満足することを特徴とする請求項１乃至４のいずれか１項に記載のズームレンズ。
【請求項６】
前記第１レンズ群の焦点距離をｆ１、広角端における全系の焦点距離をｆｗとするとき、
２．０＜ｆ１／ｆｗ＜８．０
なる条件式を満足することを特徴とする請求項１乃至５のいずれか１項に記載のズームレンズ。
【請求項７】
広角端における像面から射出瞳位置までの距離をＰＯｗ、広角端における全系の焦点距離をｆｗとするとき、
−４．０＜ＰＯｗ／ｆｗ＜−１．０
なる条件式を満足することを特徴とする請求項１乃至６のいずれか１項に記載のズームレンズ。
【請求項８】
望遠端における全系の焦点距離をｆｔ、広角端における全系の焦点距離をｆｗとするとき、
２．５＜ｆｔ／ｆｗ＜５０．０
なる条件式を満足することを特徴とする請求項１乃至７のいずれか１項に記載のズームレンズ。
【請求項９】
広角端における全系の焦点距離をｆｗ、望遠端における全系の焦点距離をｆｔとし、中間のズーム位置における全系の焦点距離ｆＭを
ｆＭ＝√ｆｗ×ｆｔ
とし、
広角端から中間のズーム位置へのズーミングにおける前記第（Ｎ−２）レンズ群の移動量をｍ（Ｎ−２）ｍｉｄ、
広角端から中間のズーム位置へのズーミングにおける前記第（Ｎ−１）レンズ群の移動量をｍ（Ｎ−１）ｍｉｄとするとき、
０．３＜｜ｍ（Ｎ−２）ｍｉｄ／ｍ（Ｎ−１）ｍｉｄ｜＜１．５
なる条件式を満足することを特徴とする請求項１乃至８のいずれか１項に記載のズームレンズ。
【請求項１０】
広角端から望遠端へのズーミングにおける前記第１レンズ群の移動量をｍ１、広角端における全系の焦点距離をｆｗとするとき、
−７．０＜ｍ１／ｆｗ＜−１．０
なる条件式を満足することを特徴とする請求項１乃至９のいずれか１項に記載のズームレンズ。
【請求項１１】
ズーミングに際して、前記第Ｎレンズ群は不動であることを特徴とする請求項１乃至１０のいずれか１項に記載のズームレンズ。
【請求項１２】
前記第（Ｎ−２）レンズ群は、２枚のレンズを接合した接合レンズ、または１枚のレンズから構成されることを特徴とする請求項１乃至１１のいずれか１項に記載のズームレンズ。
【請求項１３】
前記中間群は、物体側から像側へ順に配置された、正の屈折力の第３レンズ群、正の屈折力の第４レンズ群、正の屈折力の第５レンズ群より構成されることを特徴とする請求項１乃至１２のいずれか１項に記載のズームレンズ。
【請求項１４】
前記中間群は、物体側から像側へ順に配置された、正の屈折力の第３レンズ群、負の屈折力の第４レンズ群、正の屈折力の第５レンズ群より構成されることを特徴とする請求項１乃至１２のいずれか１項に記載のズームレンズ。
【請求項１５】
前記中間群は、正の屈折力の第３レンズ群より構成されることを特徴とする請求項１乃至１２のいずれか１項に記載のズームレンズ。
【請求項１６】
請求項１乃至１５のいずれか１項に記載のズームレンズと、該ズームレンズによって形成される像を受光する固体撮像素子を有することを特徴とする撮像装置。
【発明の詳細な説明】
【技術分野】
【０００１】
本発明は、ズームレンズ及びそれを有する撮像装置に関し、例えばデジタルカメラ、ビデオカメラ、放送用カメラ、監視用カメラ、銀塩写真用カメラなどの撮像装置の撮像光学系として好適なものである。
【背景技術】
【０００２】
近年、撮像装置は高機能化されている。それに伴い撮像装置に用いる撮像光学系としては、高いズーム比（変倍比）で全ズーム範囲にわたり高い光学性能を有し、レンズ全長の短いズームレンズであることが要求されている。また、迅速なフォーカシング（合焦）を行うために、フォーカスレンズ群は小型軽量であること等が要求されている。これらの要求を満足するズームレンズとして、最も物体側に正の屈折力のレンズ群を配置したポジティブリード型で物体側の第１レンズ群以外のレンズ群でフォーカシングを行うリアーフォーカス方式のズームレンズが知られている（特許文献１）。
【０００３】
特許文献１では、物体側から像側へ順に、正、負、正、負、負、正の屈折力の第１レンズ群乃至第６レンズ群から成り、ズーミングに際して隣り合うレンズ群の間隔が変化するズームレンズを開示している。特許文献１では第４レンズ群を移動させることによりフォーカシングを行うズーム比４程度のズームレンズを開示している。
【０００４】
またレンズ全長の短縮化とレンズ鏡筒径の小型化を図るために、バックフォーカスを短く設定し、レンズ最終面から像面までの間にメカニカルな部材を除いた、所謂ミラーレスタイプのズームレンズが知られている（特許文献２）。また、全系が小型で高ズーム比で、且つ、フォーカシングによる像劣化や結像倍率の変化が抑制されたリアーフォーカス式のズームレンズが知られている（特許文献３）。
【先行技術文献】
【特許文献】
【０００５】
【特許文献１】特開２０１２−４７８１４号公報
【特許文献２】特開２００６−２５１４６２号公報
【特許文献３】特開２０１０−３２７０２号公報
【発明の概要】
【発明が解決しようとする課題】
【０００６】
撮像装置に用いるズームレンズには、レンズ全長が短く、レンズ系全体が小型であること、高ズーム比で全ズーム範囲にわたり高い光学性能を有すること、フォーカシングに際して収差変動が少ないこと等が強く要望されている。またバックフォーカスが適切な長さであること、レンズ鏡筒に組み込んだとき、レンズ鏡筒径が小さくなるレンズ構成であること等が要望されている。
【０００７】
ポジティブリード型のズームレンズにおいて、これらの要求を満足させるには、ズームレンズを構成する各要素を適切に設定することが重要となってくる。例えばズームタイプ（レンズ群の数や各レンズ群の屈折力の符号）や、レンズ鏡筒径の大きさに強く影響するフォーカス用のレンズ群の選定等を適切に設定することが重要になってくる。
【０００８】
特許文献１のズームレンズは、広角端から望遠端へのズーミングに際し、第４レンズ群と第５レンズ群の間隔を減少させ、ズーム比を大きくしつつズーミングに伴う収差変動を軽減している。このズームレンズにおいて高ズーム比を図ろうとすると、望遠端において第４レンズ群と第５レンズ群の間隔が小さくなる傾向がある。望遠端において第４レンズ群と第５レンズ群の間隔が小さくなると、無限遠から近距離へのフォーカシングに際して第４レンズ群を像側へ移動させる空間が少なくなり、広い物体距離でフォーカシングを行うことが困難になってくる。
【０００９】
特許文献２のズームレンズは、所謂ミラーレスタイプのズームレンズであり、レンズ全長は比較的短い。しかしながら、負の屈折力の最終レンズ群と最終レンズ群から１つ物体側の正の屈折力のレンズ群がそれぞれ強すぎるため、全ズーム範囲にわたり高い光学性能を得るのが難しい。特許文献３のズームレンズは、バックフォーカスが長くレンズ全長を短縮するのが難しくなる傾向がある。
【００１０】
本発明は、高ズーム比で全ズーム範囲及び全物体距離にわたり高い光学性能が容易に得られる小型のズームレンズ及びそれを有する撮像装置を提供することを目的とする。
【課題を解決するための手段】
【００１１】
本発明のズームレンズは、Ｎを６以上の整数として、物体側から像側へ順に配置された、正の屈折力の第１レンズ群、負の屈折力の第２レンズ群、１つ以上のレンズ群を含む中間群、負の屈折力の第（Ｎ−２）レンズ群、負の屈折力の第（Ｎ−１）レンズ群、正の屈折力の第Ｎレンズ群からなり、ズーミングに際して隣り合うレンズ群の間隔が変化するズームレンズであって、
広角端から望遠端へのズーミングに際して前記第１レンズ群は物体側へ移動し、フォーカシングに際して前記第（Ｎ−２）レンズ群が移動し、
広角端におけるレンズ全長をＤｗ、広角端におけるバックフォーカスをｓｋｗ、広角端における前記第（Ｎ−１）レンズ群と前記第Ｎレンズ群の合成系の横倍率をβｎｐとするとき、
８．０＜Ｄｗ／ｓｋｗ＜２０．０
０．８＜βｎｐ＜３．０
なる条件式を満足することを特徴としている。
【発明の効果】
【００１２】
本発明によれば、高ズーム比で全ズーム範囲及び全物体距離にわたり高い光学性能が容易に得られる小型のズームレンズが得られる。
【図面の簡単な説明】
【００１３】
【図１】本発明の実施例１の広角端におけるレンズ断面図
【図２】（Ａ）、（Ｂ）、（Ｃ）  本発明の実施例１の広角端、中間のズーム位置、望遠端における収差図
【図３】本発明の実施例２の広角端におけるレンズ断面図
【図４】（Ａ）、（Ｂ）、（Ｃ）  本発明の実施例２の広角端、中間のズーム位置、望遠端における収差図
【図５】本発明の実施例３の広角端におけるレンズ断面図
【図６】（Ａ）、（Ｂ）、（Ｃ）  本発明の実施例３の広角端、中間のズーム位置、望遠端における収差図
【図７】本発明の実施例４の広角端におけるレンズ断面図
【図８】（Ａ）、（Ｂ）、（Ｃ）  本発明の実施例４の広角端、中間のズーム位置、望遠端における収差図
【図９】本発明の実施例５の広角端におけるレンズ断面図
【図１０】（Ａ）、（Ｂ）、（Ｃ）  本発明の実施例５の広角端、中間のズーム位置、望遠端における収差図
【図１１】本発明の光学機器の要部概略図
【発明を実施するための形態】
【００１４】
以下に、本発明の好ましい実施の形態を、添付の図面に基づいて説明する。本発明のズームレンズは、Ｎ個（Ｎは６以上の整数）のレンズ群を有し、ズーミングに際して隣り合うレンズ群の間隔が変化する。
【００１５】
ズームレンズは、物体側から像側へ順に配置された、正の屈折力の第１レンズ群、負の屈折力の第２レンズ群、１つ以上のレンズ群を含む中間群、負の屈折力の第（Ｎ−２）レンズ群、負の屈折力の第（Ｎ−１）レンズ群、正の屈折力の第Ｎレンズ群からなる。広角端から望遠端へのズーミングに際して第１レンズ群は物体側へ移動し、フォーカシングに際して第（Ｎ−２）レンズ群が移動する。第Ｎレンズ群はズーミングに際して不動又は移動する。
【００１６】
図１は、本発明の実施例１のレンズ断面図である。図２（Ａ）、（Ｂ）、（Ｃ）はそれぞれ実施例１のズームレンズの広角端、中間のズーム位置、望遠端における縦収差図である。実施例１はズーム比７．８、Ｆナンバー３．６０〜６．４９程度のズームレンズである。図３は本発明の実施例２のレンズ断面図である。図４（Ａ）、（Ｂ）、（Ｃ）はそれぞれ実施例２のズームレンズの広角端、中間のズーム位置、望遠端における縦収差図である。実施例２はズーム比８．１２、Ｆナンバー３．６１〜６．４９程度のズームレンズである。
【００１７】
図５は、本発明の実施例３のレンズ断面図である。図６（Ａ）、（Ｂ）、（Ｃ）はそれぞれ実施例３のズームレンズの広角端、中間のズーム位置、望遠端における縦収差図である。実施例３はズーム比７．１１、Ｆナンバー３．６０〜５．８８程度のズームレンズである。図７は、本発明の実施例４のレンズ断面図である。図８（Ａ）、（Ｂ）、（Ｃ）はそれぞれ実施例４のズームレンズの広角端、中間のズーム位置、望遠端における縦収差図である。実施例４はズーム比８．５７、Ｆナンバー３．６７〜６．３０程度のズームレンズである。
【００１８】
図９は、本発明の実施例５のレンズ断面図である。図１０（Ａ）、（Ｂ）、（Ｃ）はそれぞれ実施例５のズームレンズの広角端、中間のズーム位置、望遠端における縦収差図である。実施例５はズーム比５．５２、Ｆナンバー３．３５〜５．６０程度のズームレンズである。図１１は本発明の撮像装置の要部概略図である。
【００１９】
各実施例のズームレンズはデジタルカメラやビデオカメラ、放送用カメラ、監視用カメラ、銀塩写真用カメラなどの撮像装置に用いられるズームレンズである。尚、実施例のズームレンズは投射装置（プロジェクタ）用の投射光学系として用いることもできる。  レンズ断面図において、左方が物体側（前方）で、右方が像側（後方）である。また、レンズ断面図において、ｉを物体側からのレンズ群の順番とすると、Ｌｉは第ｉレンズ群を示す。
【００２０】
ＬＭは１つ以上のレンズ群を含む中間群である。Ｎを６以上の整数としたとき、（Ｎ−２）は負の屈折力の第（Ｎ−２）レンズ群である。（Ｎ−１）は負の屈折力の第（Ｎ−１）レンズ群である。Ｎは正の屈折力の第Ｎレンズ群である。
【００２１】
ＳＰは開口絞りである。ＩＰは像面である。像面ＩＰは、デジタルカメラやビデオカメラなどの撮像装置としてズームレンズを使用する際には、ＣＣＤセンサやＣＭＯＳセンサなどの固体撮像素子（光電変換素子）の撮像面に相当する。銀塩フィルムカメラの撮像装置としてズームレンズを使用する際には、フィルム面に相当する。広角端から望遠端へのズーミングに際して、矢印に示すように各レンズ群を移動させている。
【００２２】
フォーカス（Focus）に関する矢印は無限遠物体から近距離物体へのフォーカシングに際して、第（Ｎ−２）レンズ群の移動方向を示している。球面収差図において、ＦｎｏはＦナンバーである。また実線のｄはｄ線（波長５８７．６ｎｍ）、二点鎖線のｇはｇ線（波長４３５．８ｎｍ）である。非点収差図で点線のΔＭはｄ線におけるメリディオナル像面、実線のΔＳはｄ線におけるサジタル像面である。歪曲収差図はｄ線について示している。倍率色収差図はｇ線について示している。ωは半画角（度）である。
【００２３】
実施例１、２において、中間群ＬＭは、物体側から像側へ順に配置された、正の屈折力の第３レンズ群、正の屈折力の第４レンズ群、正の屈折力の第５レンズ群より構成されている。実施例３、４において、中間群ＬＭは、物体側から像側へ順に配置された、正の屈折力の第３レンズ群、負の屈折力の第４レンズ群、正の屈折力の第５レンズ群より構成されている。実施例５において、中間群ＬＭは、正の屈折力の第３レンズ群より構成されている。
【００２４】
次に各実施例のレンズ構成について説明する。実施例１は物体側から像側へ順に、正、負、正、正、正、負、負、正の屈折力の第１レンズ群Ｌ１乃至第８レンズ群Ｌ８で構成されている８群ズームレンズである。中間群ＬＭは第３レンズ群Ｌ３、第４レンズ群Ｌ４、第５レンズ群Ｌ５より構成されている。第（Ｎ−２）レンズ群（Ｎ−２）は第６レンズ群Ｌ６に相当し、第（Ｎ−１）レンズ群（Ｎ−１）は第７レンズ群Ｌ７に相当し、第Ｎレンズ群Ｎは第８レンズ群Ｌ８に相当する。
【００２５】
広角端から望遠端へのズーミングに際して、第１レンズ群Ｌ１は物体側に直線移動する。第２レンズ群Ｌ２は像側に凸状の軌跡で移動する。第３レンズ群Ｌ３と第５レンズ群Ｌ５と第７レンズ群Ｌ７は一体的に（同じ軌跡）で物体側に移動する。第４レンズ群Ｌ４は物体側に移動する。第６レンズ群Ｌ６は物体側に移動する。第８レンズ群Ｌ８はズーミングに際し不動である。フォーカシングに際して第６レンズ群Ｌ６が移動する。
【００２６】
実施例２は実施例１と同じズームタイプ（レンズ群の数、各レンズ群の屈折力の符号）の８群ズームレンズである。中間群ＬＭは第３レンズ群Ｌ３、第４レンズ群Ｌ４、第５レンズ群Ｌ５より構成されている。第（Ｎ−２）レンズ群（Ｎ−２）は第６レンズ群Ｌ６に相当し、第（Ｎ−１）レンズ群（Ｎ−１）は第７レンズ群Ｌ７に相当し、第Ｎレンズ群Ｎは第８レンズ群Ｌ８に相当する。広角端から望遠端へのズーミングに際して、第１レンズ群Ｌ１乃至第７レンズ群Ｌ７の移動方向は実施例１と同じである。第８レンズ群Ｌ８は像側へ凸状の軌跡で移動する。フォーカシングは実施例１と同じである。
【００２７】
実施例３は物体側から像側へ順に、正、負、正、負、正、負、負、正の屈折力の第１レンズ群Ｌ１乃至第８レンズ群Ｌ８で構成されている８群ズームレンズである。中間群ＬＭは第３レンズ群Ｌ３、第４レンズ群Ｌ４、第５レンズ群Ｌ５より構成されている。第（Ｎ−２）レンズ群（Ｎ−２）は第６レンズ群Ｌ６に相当し、第（Ｎ−１）レンズ群（Ｎ−１）は第７レンズ群Ｌ７に相当し、第Ｎレンズ群Ｎは第８レンズ群Ｌ８に相当する。
【００２８】
広角端から望遠端へのズーミングに際して、第１レンズ群Ｌ１は物体側に移動する。第２レンズ群Ｌ２は像側に凸形状の軌跡で移動する。第３レンズ群Ｌ３と第５レンズ群Ｌ５と第７レンズ群Ｌ７が一体的に物体側に移動する。第４レンズ群Ｌ４及び第６レンズ群Ｌ６及び第８レンズ群Ｌ８は物体側に移動する。フォーカシングは実施例１と同じである。
【００２９】
実施例４は実施例３と同じズームタイプの８群ズームレンズである。ズーミングに際しての各レンズ群の移動は実施例３と同じである。フォーカシングは実施例１と同じである。実施例５は物体側から像側へ順に、正、負、正、負、負、正の屈折力の第１レンズ群Ｌ１乃至第６レンズ群Ｌ６で構成されている６群ズームレンズである。中間群ＬＭは第３レンズ群Ｌ３より構成されている。第（Ｎ−２）レンズ群（Ｎ−２）は第４レンズ群Ｌ４に相当し、第（Ｎ−１）レンズ群（Ｎ−１）は第５レンズ群Ｌ５に相当し、第Ｎレンズ群Ｎは第６レンズ群Ｌ６に相当する。
【００３０】
広角端から望遠端へのズーミングに際して、第１レンズ群Ｌ１は物体側へ移動する。第２レンズ群Ｌ２は像側に凸状の軌跡で移動する。第３レンズ群Ｌ３乃至第５レンズ群Ｌ５は互いに独立に（異なった軌跡で）物体側へ移動する。第６レンズ群Ｌ６はズーミングに際して不動である。フォーカシングに際して第４レンズ群Ｌ４が移動する。
【００３１】
各実施例のズームレンズは、ズーミングに際して第１レンズ群Ｌ１、第２レンズ群Ｌ２、第３レンズ群Ｌ３の移動により主に変倍を行っている。第１レンズ群Ｌ１は広角端から望遠端へのズーミングに際し、物体側へ移動することで広角端における前玉有効径を小型化しつつ、高ズーム比化を図っている。また、第３レンズ群Ｌ３は広角端から望遠端へのズーミングに際して物体側へ移動することで、変倍効果を得ている。無限遠から近距離へフォーカシングする際、矢印に示す如く、第（Ｎ−２）レンズ群（Ｎ−２）を像側へ移動している。
【００３２】
各実施例のズームレンズは、フォーカシングに際して第（Ｎ−２）レンズ群（Ｎ−２）が移動する。第（Ｎ−１）レンズ群（Ｎ−１）は負の屈折力を有し、第Ｎレンズ群Ｎは正の屈折力を有している。
【００３３】
ポジティブリードタイプのズームレンズにおいて、レンズ全長を短くする場合、最終レンズ群付近に強い負の屈折力のレンズ群を配置し、それに続き、強い正の屈折力のレンズ群を配置することが有効である。また、バックフォーカスの長さを有効に使い、レンズ全長の短縮化を図るには像面付近に物体側から像側へ順に、負の屈折力のレンズ群と正の屈折力のレンズ群を配置することが有効である。最終レンズ群を正の屈折力とすると、像面への光束の入射角度を低くすることができ、撮像素子による周辺像高の光量落ちや色付きといった、所謂シェーディングの発生を軽減することができる。
【００３４】
また、第（Ｎ−２）レンズ群（Ｎ−２）と第（Ｎ−１）レンズ群（Ｎ−１）をそれぞれ負の屈折力とし、負の屈折力を分散させ、第（Ｎ−２）レンズ群（Ｎ−２）をフォーカシングに際して移動する。これにより、フォーカス用の第（Ｎ−２）レンズ群（Ｎ−２）の有効径を小型化している。また、第（Ｎ−２）レンズ群（Ｎ−２）の屈折力を適切に設定して第（Ｎ−２）レンズ群（Ｎ−２）の移動に対するピント面移動量の敏感度であるフォーカス敏感度を適切している。
【００３５】
これにより、フォーカシングに際しての移動量を抑えて、メカニカルな部材の配置の自由度を増やすことによって、鏡筒径の小型化を図っている。また、第（Ｎ−２）レンズ群（Ｎ−２）と第（Ｎ−１）レンズ群（Ｎ−１）はズーミングに際し、互いに独立した、異なる軌跡を描いて移動することにより、ズーム中間領域における光学性能の変動を軽減している。
【００３６】
各実施例において好ましくは次の条件式のうち１つ以上を満足するのが良い。広角端におけるレンズ全長をＤｗ、広角端におけるバックフォーカスをｓｋｗ、広角端における第（Ｎ−１）レンズ群（Ｎ−１）と第Ｎレンズ群Ｎの合成系の横倍率をβｎｐとする。第（Ｎ−２）レンズ群（Ｎ−２）の焦点距離をｆ（Ｎ−２）、第（Ｎ−１）レンズ群（Ｎ−１）の焦点距離をｆ（Ｎ−１）とする。
【００３７】
望遠端における第（Ｎ−２）レンズ群（Ｎ−２）の横倍率をβｆ、望遠端における第（Ｎ−１）レンズ群（Ｎ−１）と第Ｎレンズ群Ｎの合成系の横倍率をβｒｔとする。第Ｎレンズ群Ｎの焦点距離をｆＮ、広角端におけるバックフォーカスをｓｋｗとする。広角端における全系の焦点距離をｆｗとする。第１レンズ群Ｌ１の焦点距離をｆ１とする。広角端における像面から射出瞳の位置までの距離をＰＯｗとする。望遠端における全系の焦点距離をｆｔとする。中間のズーム位置における全系の焦点距離ｆＭをｆＭ＝√ｆｗ×ｆｔとする。
【００３８】
広角端から中間のズーム位置へのズーミングにおける第（Ｎ−２）レンズ群（Ｎ−２）の移動量をｍ（Ｎ−２）ｍｉｄ、広角端から中間のズーム位置へのズーミングにおける第（Ｎ−１）レンズ群（Ｎ−１）の移動量をｍ（Ｎ−１）ｍｉｄとする。広角端から望遠端へのズーミングにおける第１レンズ群Ｌ１の移動量をｍ１とする。このとき次の条件式のうち１つ以上を満足するのが良い。
【００３９】
８．０＜Ｄｗ／ｓｋｗ＜２０．０              ・・・（１）
０．８＜βｎｐ＜３．０                      ・・・（２）
０．１＜ｆ（Ｎ−２）／ｆ（Ｎ−１）＜２．０  ・・・（３）
−１０．０＜（１−βｆ２）×βｒｔ２＜−３．０・・・（４）
３．０＜ｆＮ／ｓｋｗ＜４０．０              ・・・（５）
−５．０＜ｆ（Ｎ−２）／ｆｗ＜−１．０      ・・・（６）
２．０＜ｆ１／ｆｗ＜８．０                  ・・・（７）
−４．０＜ＰＯｗ／ｆｗ＜−１．０            ・・・（８）
２．５＜ｆｔ／ｆｗ＜５０．０                ・・・（９）
０．３＜｜ｍ（Ｎ−２）ｍｉｄ／ｍ（Ｎ−１）ｍｉｄ｜＜１．５  ・・・（１０）
−７．０＜ｍ１／ｆｗ＜−１．０              ・・・（１１）
【００４０】
ここでレンズ全長とは物体側の第１レンズ面から最終レンズ面までの距離に空気換算長のバックフォーカスの値を加えた長さである。バックフォーカスは最終レンズ面から像面までの空気換算での長さである。射出瞳の位置は像面からの距離である。射出瞳の位置の距離の符号は像面よりも物体側に位置するときを負、像側に位置するときを正とする。ここでレンズ群の移動量とは、広角端における光軸上の位置と望遠端における光軸上の位置の差に相当し、移動量の符号は広角端に比べて望遠端においてレンズ群が像側に位置するときを正、物体側に位置するときを負とする。
【００４１】
次に前述の各条件式の技術的意味について説明する。条件式（１）は広角端におけるレンズ全長の短縮化とフォーカス用のレンズ群のレンズ有効径の小型化を図るためのものである。条件式（１）の上限値を超えて、レンズ全長Ｄｗが長くなりすぎると、全系の小型化が困難になる。或いはバックフォーカスｓｋｗが短くなりすぎると、像面への光線の入射角度の増大を抑えるために、最終レンズ群（第Ｎレンズ群）の正の屈折力を高める必要がある。そうすると、光学的性能が低下してくる。また、撮像素子の保護ガラスや各種フィルターを挿入する空間が少なくなり、好ましくない。
【００４２】
条件式（１）の下限を超えて、レンズ全長Ｄｗが短くなりすぎると、各レンズ群の屈折力を強める必要があり、この結果、ズーム全域において高い光学性能を維持することが困難となる。或いは、バックフォーカスｓｋｗが長くなりすぎると、全系が大型化してくるので良くない。
【００４３】
条件式（２）はフォーカス用のレンズ群の適切な敏感度を設定するために、広角端における第（Ｎ−１）レンズ群（Ｎ−１）と第Ｎレンズ群Ｎの合成系の横倍率βｎｐを規定したものである。条件式（２）の上限を超えて合成系の横倍率βｎｐが高くなりすぎると、フォーカス用のレンズ群のフォーカス敏感度が高くなりすぎ、フォーカスに際するメカニカルな制御が難しくなる。条件式（２）の下限を超えて合成系の横倍率βｎｐが小さくなりすぎると、フォーカス用のレンズ群の敏感度が低くなる傾向にあり、至近距離の光学性能が低下し、またフォーカス用のレンズ群が光軸方向に長くなり、好ましくない。
【００４４】
条件式（３）は物体距離全般にわたり、高い光学性能を得るために、フォーカス用のレンズ群である第（Ｎ−２）レンズ群（Ｎ−２）の焦点距離と、その後に続く第（Ｎ−１）レンズ群（Ｎ−１）の焦点距離の比を規定したものである。
【００４５】
条件式（３）の上限を超えて、フォーカス用のレンズ群の焦点距離が長くなりすぎると、フォーカス敏感度が低くなり、近距離撮影に対するフォーカス用のレンズ群の移動量が増える。この結果、至近撮影時に高い光学性能を確保することが困難となる。或いは、第（Ｎ−１）レンズ群（Ｎ−１）の焦点距離が短くなりすぎて、光線を像面付近で大きく蹴り上げることになり、像面湾曲や倍率色収差が増大し、これらの諸収差の補正が困難となる。
【００４６】
条件式（３）の下限を超えて、フォーカス用のレンズ群の焦点距離が短くなりすぎると、フォーカス用のレンズ群の屈折力が強くなりすぎ、近距離において高い光学性能を確保することが困難となる。或いは、第（Ｎ−１）レンズ群（Ｎ−１）の焦点距離が長くなることで、像面直前における負の屈折力と正の屈折力の配置によるレンズ全長を短縮することが難しくなる。
【００４７】
条件式（４）は望遠端において物体距離全般にわたり高い光学性能を得るために、望遠端における第（Ｎ−２）レンズ群（Ｎ−２）の横倍率、望遠端における第Ｎレンズ群Ｎと第（Ｎ−１）レンズ群（Ｎ−１）の合成系の横倍率をβｒｔを規定したものである。条件式（４）は望遠端におけるフォーカス敏感度を表している。
【００４８】
条件式（４）の上限を超えて、フォーカス敏感度が高くなりすぎると、フォーカス用のレンズ群をメカニカルに高精度に制御することが困難となる。また、フォーカス用のレンズ群の屈折力が強くなる傾向にあり、近距離撮影時に高い光学性能を得ることが困難となる。条件式（４）の下限を超えて、フォーカス敏感度が小さくなりすぎると、フォーカス用のレンズ群のフォーカシングにおける移動量が増え、レンズ全長が増加し、全系が大型化するので良くない。
【００４９】
条件式（５）はレンズ全長を短縮しつつ、良好なるテレセントリック性を得るために、第Ｎレンズ群Ｎの焦点距離と広角端におけるバックフォーカスの比を規定したものである。条件式（５）の上限を超えて、第Ｎレンズ群Ｎの焦点距離が長くなりすぎると、レンズ全長の短縮が困難となる。また周辺像高の像面への光線の入射角度が大きくなり、シェーディングが増加するため好ましくない。或いは、バックフォーカスが短くなりすぎ、像面の前方に保護ガラスや各種フィルターを挿入することが困難となる。
【００５０】
条件式（５）の下限を超えて、第Ｎレンズ群Ｎの焦点距離が短くなると、第Ｎレンズ群Ｎの光線を曲げる強さが強くなりすぎ、ズーム全域において像面湾曲が増大し、この収差を抑制することが困難となる。或いは、バックフォーカスが長くなりすぎると、全系が大型化してくるので良くない。
【００５１】
条件式（６）は物体距離全般にわたり高い光学性能を得るとともにレンズ全長を短縮するために、フォーカス用のレンズ群である第（Ｎ−２）レンズ群（Ｎ−２）の焦点距離と広角端における全系の焦点距離の比を規定したものである。条件式（６）の上限を超えて、フォーカス用のレンズ群の焦点距離が長くなりすぎると、フォーカス用のレンズ群の屈折力が小さくなる。このために、フォーカシングに際する移動量を増やす必要があり、レンズ全長の短縮が困難になる。
【００５２】
条件式（６）の下限を超えて、フォーカス用のレンズ群の焦点距離が短くなりすぎると、フォーカス敏感度が高くなりすぎ、メカニカルに高精度にフォーカス用のレンズ群を駆動制御することが困難となる。
【００５３】
条件式（７）は高ズーム比を得るために、広角端における全系の焦点距離と第１レンズ群Ｌ１の焦点距離の比を規定するものである。条件式（７）の上限を超えて、第１レンズ群Ｌ１の焦点距離が長くなりすぎると、広角端において倍率色収差の補正、望遠端において軸上色収差の補正は容易になる。しかしながらズーミングに際して第１レンズ群Ｌ１の移動量が増大し、レンズ全長が長くなってくるため好ましくない。
【００５４】
また、条件式（７）の下限値を超えて、第１レンズ群Ｌ１の焦点距離が短くなりすぎると、全系の小型化は容易となるが、少ないレンズ枚数で球面収差やコマ収差等を補正することが困難となる。更に、広角側の焦点距離が長くなってしまい、所望のズーム比を確保することが困難となる。
【００５５】
条件式（８）は高いテレセントリック性を確保するために、広角端における射出瞳位置と広角端における全系の焦点距離の比を規定したものである。ここで射出瞳位置の距離ＰＯｗは、像面からの距離であり、その符号は像面より物体側にある場合を負と定義する。条件式（８）の上限を超えて射出瞳位置の距離ＰＯｗが長くなると、第Ｎレンズ群Ｎの屈折力が強まる傾向にあり、像面湾曲が増加し、この収差を抑制することが難しくなる。
【００５６】
条件式（８）の下限を超えて、射出瞳位置の距離ＰＯｗが短くなると、周辺像高の光線の像面への入射角度が大きくなりすぎ、シェーディングの発生が増加してくる。或いは、広角端における全系の焦点距離が長くなり、高ズーム比化を達成することが困難となる。
【００５７】
条件式（９）は高ズーム比化を達成するためのものである。条件式（９）の範囲にあることで、高ズーム比化を図りつつ、かつ物体距離全般にわたり高い光学性能を容易に得ている。
【００５８】
条件式（１０）は広角端から中間のズーム位置へのズーミングにおける第（Ｎ−２）レンズ群（Ｎ−２）と第（Ｎ−１）レンズ群（Ｎ−１）の移動量を規定する。条件式（１０）の上限を超えて第（Ｎ−２）レンズ群（Ｎ−２）の移動量が大きくなると隣り合うレンズ群との間隔が小さくなり、メカニカルに各レンズ群を配置するのが困難になる。条件式（１０）の下限を超えて第（Ｎ−２）レンズ群（Ｎ−２）の移動量が小さくなると第（Ｎ−１）レンズ群（Ｎ−１）との間隔が小さくなり、近距離物体へのフォーカスが困難になる。
【００５９】
条件式（１１）は広角端における全系の焦点距離とズーミングに際しての第１レンズ群Ｌ１の移動量の比を規定するためのものである。条件式（１１）の上限を超えて、広角端における全系の焦点距離が長くなりすぎると、高いズーム比を得ることが困難となる。あるいは、ズーミングに際して第１レンズ群Ｌ１の移動量が短くなり、第１レンズ群Ｌ１の屈折力が強くなりすぎて、球面収差やコマ収差が増大し、これらの諸収差を補正するのが困難になる。
【００６０】
条件式（１１）の下限を超えて、広角端における全系の焦点距離が短くなると、第１レンズ群Ｌ１のレンズ有効径が大きくなり、全系が大型化してくるため好ましくない。あるいは、ズーミングに際して第１レンズ群Ｌ１の移動量が長くなると、望遠端におけるレンズ全長が長くなり、全系が大型化してくるため好ましくない。
【００６１】
なお、各実施例において、好ましくは、条件式（１）乃至条件式（１１）の数値範囲を次の如く設定すると良い。
【００６２】
８．５＜Ｄｗ／ｓｋｗ＜１７．５              ・・・（１ａ）
０．９＜βｎｐ＜２．５                      ・・・（２ａ）
０．２＜ｆ（Ｎ−２）／ｆ（Ｎ−１）＜１．０  ・・・（３ａ）
−９．０＜（１−βｆ２）×βｒｔ２＜−３．５  ・・・（４ａ）
４．０＜ｆＮ／ｓｋｗ＜３０．０              ・・・（５ａ）
−４．０＜ｆ（Ｎ−２）／ｆｗ＜−１．２      ・・・（６ａ）
２．５＜ｆ１／ｆｗ＜７．０                  ・・・（７ａ）
−３．５＜ＰＯｗ／ｆｗ＜−１．２            ・・・（８ａ）
３．０＜ｆｔ／ｆｗ＜３０．０                ・・・（９ａ）
０．５＜｜ｍ（Ｎ−２）ｍｉｄ／ｍ（Ｎ−１）ｍｉｄ｜＜１．３  ・・・（１０ａ）
−６．０＜ｍ１／ｆｗ＜−１．５              ・・・（１１ａ）
【００６３】
また、更に好ましくは、各実施例において、条件式（１ａ）乃至条件式（１１ａ）の数値範囲を次の如く設定すると、先に述べた各条件式が意味する効果を最大限に得られる。
【００６４】
９．０＜Ｄｗ／ｓｋｗ＜１５．０              ・・・（１ｂ）
１．０＜βｎｐ＜１．５                      ・・・（２ｂ）
０．３５＜ｆ（Ｎ−２）／ｆ（Ｎ−１）＜０．８０・・・（３ｂ）
−８．０＜（１−βｆ２）×βｒｔ２＜−４．０  ・・・（４ｂ）
５．０＜ｆＮ／ｓｋｗ＜２０．０              ・・・（５ｂ）
−３．０＜ｆ（Ｎ−２）／ｆｗ＜−１．５      ・・・（６ｂ）
３．５＜ｆ１／ｆｗ＜６．０                  ・・・（７ｂ）
−３．０＜ＰＯｗ／ｆｗ＜−１．５            ・・・（８ｂ）
５．０＜ｆｔ／ｆｗ＜１０．０                ・・・（９ｂ）
０．６＜｜ｍ（Ｎ−２）ｍｉｄ／ｍ（Ｎ−１）ｍｉｄ｜＜１．０  ・・・（１０ｂ）
−４．０＜ｍ１／ｆｗ＜−２．０              ・・・（１１ｂ）
【００６５】
実施例１、２、３において、メカ構造を簡略するには、ズーミングに際し、第３レンズ群Ｌ３と第５レンズ群Ｌ５は一体となり、同一軌跡を描くように移動することが好ましい。また、メカ構造を簡略し、かつ防塵・防滴を容易にするには、最終レンズ群である第Ｎレンズ群Ｎはズーミングに際し不動とすることが好ましい。
【００６６】
また、フォーカス用のレンズ群である第（Ｎ−２）レンズ群（Ｎ−２）はフォーカシングスピードを速くするためにも、できるだけ軽量化することが求められる。そのため、第（Ｎ−２）レンズ群（Ｎ−２）は２枚以下のレンズよりなる接合レンズ、または１枚の単レンズで構成することが好ましい。
【００６７】
また、全系の小型化を図りつつ、広画角で高ズーム比を達成するためには、第１レンズ群Ｌ１のレンズ枚数が少ないほど第１レンズ群Ｌ１を通る軸外光束の入射高さを低くすることができ、第１レンズ群Ｌ１の有効径を小型化することができる。そのため、第１レンズ群Ｌ１のレンズ枚数は４枚以下とするのが良い。
【００６８】
また、第２レンズ群Ｌ２は広画角化を実現するために、物体側より像側へ順に負レンズ、負レンズ、正レンズ、負レンズより構成することが好ましい。正の屈折力をレンズを配置することで、光束を収斂させ、後続するレンズ群の有効径を小型化することができる。また第２レンズ群Ｌ２を負の屈折力のレンズ群とし、かつ負レンズが先行するレンズ構成にすることで広画角化を容易にしている。
【００６９】
また、第３レンズ群Ｌ３中に非球面を導入し、第３レンズ群Ｌ３以降のレンズ群と第２レンズ群Ｌ２の屈折力を適切に設定するのが良い。これによれば軸外諸収差、特に非点収差・歪曲収差を良好に補正し、広画角、高ズーム比化した際の球面収差、コマ収差等の補正を効果的に行うことができる。
【００７０】
各実施例では以上の様に各要素を構成することで、高ズーム比でレンズ全長が短く、レンズ径が小さく、物体距離全般にわたり高い光学性能を有するズームレンズを得ている。
【００７１】
次に本発明のズームレンズを撮像光学系として用いたデジタルスチルカメラ（撮像装置）の実施例に関して図１１を用いて説明する。図１１において、１０はカメラ本体、１１は本発明のズームレンズによって構成された撮像光学系である。１２はカメラ本体に内蔵され、撮像光学系１１によって形成された被写体像を受光するＣＣＤセンサやＣＭＯＳセンサ等の固体撮像素子（光電変換素子）である。
【００７２】
以下、実施例１乃至５に対応する実施例１乃至５の具体的な数値データを示す。各実施例において、ｉは物体側から数えた順序を示し、ｒｉは第ｉ番目の光学面（第ｉ面）の曲率半径、ｄｉは第ｉ面と第（ｉ＋１）面との間の軸上間隔を示す。又、ｎｄｉ、νｄｉはそれぞれｄ線に対する第ｉ番目の光学部材の材料の屈折率、アッベ数である。非球面形状は光軸方向にＸ軸、光軸と垂直方向にＨ軸、光の進行方向を正としＲを近軸曲率半径、Ｋを円錐定数、Ａ４、Ａ６、Ａ８、Ａ１０を各々非球面係数としたとき、
【００７３】
【数１】
2018022058.tif 000003
【００７４】
なる式で表している。＊は非球面形状を有する面を意味している。「ｅ−ｘ」は１０−ｘを意味している。数値データにおいて最後の２つの面は、フィルター、フェースプレート等の光学ブロックの面である。ＢＦは空気換算のバックフォーカスである。レンズ全長は第１レンズ面から最終レンズ面までの距離にバックフォーカスＢＦの値を加えた値である。また、前述の各条件式と実施例との関係を表１に示す。
【００７５】
［数値データ１］
単位 mm
面データ
面番号       r        d      nd         νd
1         98.040    1.60   1.91082    35.3           
2         49.070    5.79   1.49700    81.5           
3       -423.769    0.15                             
4         45.509    4.82   1.59522    67.7           
5        332.437  (可変)                             
6         86.952    1.10   1.95375    32.3           
7         13.484    5.75                             
8        -31.460    0.80   1.77250    49.6           
9         70.614    0.15                             
10         28.240    4.95   1.84666    23.9           
11        -32.556    0.70                             
12        -21.847    0.85   1.69680    55.5           
13       -120.000  (可変)                             
14(絞り)    ∞       0.70                             
15*        13.204    4.34   1.58313    59.4           
16*       -61.870    0.99                             
17         25.887    1.13   1.83481    42.7           
18         12.752  (可変)                             
19         23.617    0.60   1.90366    31.3           
20         12.334    3.07   1.69680    55.5           
21       -186.310  (可変)                             
22       -407.535    3.18   1.51633    64.1           
23        -11.485    0.79   2.00069    25.5           
24        -16.338  (可変)                             
25         69.672    1.63   1.89286    20.4           
26        -69.673    0.70   1.74951    35.3           
27         15.570  (可変)                             
28*       -13.580    1.80   1.53160    55.8           
29*       -20.993  (可変)                             
30        -66.048    2.96   1.76200    40.1           
31        -31.014    7.96                             
32          ∞       1.00   1.54400    60.0           
33          ∞       2.04                             
像面        ∞   
【００７６】
非球面データ
第15面
K = 0.00000e+000  A 4=-3.70870e-005  A 6=-9.06300e-008  A 8= 1.50901e-009  A10= 8.60362e-012  
第16面
K = 0.00000e+000  A 4= 4.21568e-005  A 6=-3.28652e-008  A 8= 2.46762e-009  A10= 5.11535e-012  
第28面
K = 0.00000e+000  A 4=-4.90424e-005  A 6=-2.47272e-007  A 8= 3.25583e-009  
第29面
K = 0.00000e+000  A 4=-4.47195e-005  A 6=-1.49024e-007  A 8= 2.93480e-009  A10=-9.51658e-012  
【００７７】
各種データ
ズーム比     7.83 
広角     中間     望遠
焦点距離      18.56    48.87   145.41  
Fナンバー      3.60     5.56     6.49  
半画角（度）  36.35    15.62     5.37  
像高          13.66    13.66    13.66  
レンズ全長   103.26   118.62   145.33  
BF            10.65    10.65    10.65  
射出瞳位置
の距離 -45.94   -95.22  -174.23
d 5            0.60    15.03    39.50  
d13           24.58     9.87     1.94  
d18            2.75     2.30     2.95  
d21            1.54     1.99     1.34  
d24            1.40     3.27     1.40  
d27           12.39    10.52    12.39  
d29            0.80    16.44    26.62  
【００７８】
ズームレンズ群データ
群  始面    焦点距離  
1    1      75.07  
2    6     -15.20  
3   14      35.51  
4   19      39.62  
5   22      52.89  
6   25     -30.80  
7   28     -79.01  
8   30      74.03  
9   32       ∞    
【００７９】
［数値データ２］
単位 mm
面データ
面番号       r        d      nd         νd
1         90.598    1.60   1.91082    35.3           
2         49.390    7.24   1.49700    81.5           
3       3110.925    0.15                             
4         47.032    5.12   1.59522    67.7           
5        333.551  (可変)                             
6         64.496    1.10   1.95375    32.3           
7         13.123    6.72                             
8        -30.219    0.80   1.77250    49.6           
9         47.606    0.15                             
10         27.687    4.56   1.84666    23.9           
11        -32.439    0.88                             
12        -20.371    0.85   1.69680    55.5           
13        -68.001  (可変)                             
14(絞り)    ∞       0.70                             
15*        13.424    4.69   1.58313    59.4           
16*       -62.764    0.53                             
17         25.857    1.10   1.83481    42.7           
18         13.184  (可変)                             
19         33.061    0.60   1.90366    31.3           
20         12.557    3.03   1.69680    55.5           
21        -75.746  (可変)                             
22         67.371    3.29   1.51633    64.1           
23        -13.634    0.78   2.00069    25.5           
24        -17.618  (可変)                             
25         75.645    1.47   1.89286    20.4           
26        -91.801    0.78   1.74951    35.3           
27         15.793  (可変)                             
28*       -12.973    1.80   1.53110    55.9           
29*       -22.776  (可変)                             
30        -80.004    2.67   1.76200    40.1           
31        -33.995  (可変)                             
32          ∞       1.00   1.54400    60.0           
33          ∞       0.97                             
像面        ∞   
【００８０】
非球面データ
第15面
K = 0.00000e+000  A 4=-4.02487e-005  A 6=-1.91839e-007  A 8= 4.50566e-009  A10=-3.01189e-011  
第16面
K = 0.00000e+000  A 4= 4.45744e-005  A 6=-1.54609e-007  A 8= 5.34939e-009  A10=-2.82301e-011  
第28面
K = 0.00000e+000  A 4= 1.35785e-005  A 6=-5.77007e-007  A 8= 1.67623e-009  
第29面
K = 0.00000e+000  A 4= 7.29605e-006  A 6=-4.74389e-007  A 8= 2.46966e-009  A10=-4.09694e-012  
【００８１】
各種データ
ズーム比     8.12 
焦点距離      16.00    45.10   130.00 
Fナンバー      3.61     5.63     6.49 
半画角（度）  40.48    16.85     6.00 
像高          13.66    13.66    13.66 
レンズ全長   102.65   117.62   148.98 
BF             8.67     8.07    14.14 
射出瞳位置
の距離  -40.55  -87.58  -125.68
d 5            0.85    15.57    42.38 
d13           24.11     8.34     1.50 
d18            2.85     2.11     2.95 
d21            2.78     3.53     2.68 
d24            1.55     3.27     1.47 
d27           10.41     8.70    10.50 
d29            0.80    17.44    22.74 
d31            7.06     6.46    12.53 
【００８２】
ズームレンズ群データ
群  始面    焦点距離  
1    1      80.95  
2    6     -14.64  
3   14      35.28  
4   19      50.15  
5   22      34.26  
6   25     -29.95  
7   28     -60.62  
8   30      75.68  
9   32       ∞    
【００８３】
［数値データ３］
単位 mm
面データ
面番号       r        d      nd         νd
1         71.879    0.80   1.90366    31.3           
2         41.106    5.94   1.49700    81.5           
3        543.623    0.15                             
4         42.800    4.62   1.60311    60.6           
5        388.840  (可変)                             
6         96.726    0.80   1.85150    40.8           
7         13.102    5.37                             
8        -42.584    0.70   1.81600    46.6           
9         38.380    0.18                             
10         28.079    4.83   1.85478    24.8           
11        -23.418    0.50                             
12        -20.197    0.65   1.83481    42.7           
13       1034.192  (可変)                             
14(絞り)    ∞       1.00                             
15         18.341    1.72   1.56384    60.7           
16        134.844    0.56                             
17         14.201    0.90   2.00100    29.1           
18         10.095    3.97   1.49700    81.5           
19       -317.472  (可変)                             
20        -29.361    2.47   1.90366    31.3           
21        -12.951    0.50   1.69680    55.5           
22         38.987  (可変)                             
23         23.574    4.51   1.58913    61.1           
24        -23.063    0.80   1.84666    23.8           
25        381.350    0.15                             
26         16.862    3.31   1.58313    59.4           
27*      -122.885    0.17                             
28          ∞     (可変)                             
29         94.840    1.28   1.76182    26.5           
30        -67.463    0.85   1.69680    55.5           
31         17.348  (可変)                             
32        -30.407    0.65   1.71300    53.9           
33        -86.219  (可変)                             
34         34.265    3.50   1.48749    70.2           
35        260.833  (可変)                             
36          ∞       1.00   1.54400    60.0           
37          ∞       1.88                             
像面        ∞   
【００８４】
非球面データ
第27面
K = 0.00000e+000  A 4= 1.22222e-004  A 6=-1.47170e-007  A 8= 3.40622e-009  A10=-3.89750e-011  
【００８５】
各種データ
ズーム比     7.11 
焦点距離      18.49    47.96   131.47 
Fナンバー      3.60     5.29     5.88
半画角（度）  36.46    15.90     5.93 
像高          13.66    13.66    13.66 
レンズ全長   100.48   117.41   141.79 
BF             9.51    26.41    28.01 
射出瞳位置
の距離 -41.80   -55.96   -72.44 
d 5            0.85    13.91    35.72 
d13           19.79     7.38     1.77 
d19            1.82     3.08     4.22 
d22            3.58     2.31     1.18 
d28            1.99     3.19     1.08 
d31            9.07     7.87     9.98 
d33            3.00     2.39     8.97 
d35            6.98    23.88    25.48 
【００８６】
ズームレンズ群データ
群  始面    焦点距離  
1    1      70.24  
2    6     -13.01  
3   14      20.17  
4   20     -30.46  
5   23      20.69  
6   29     -32.51  
7   32     -66.20  
8   34      80.51  
9   36       ∞    
【００８７】
［数値データ４］
単位 mm
面データ
面番号       r        d      nd         νd
1         72.288    0.80   1.90366    31.3           
2         42.375    6.15   1.49700    81.5           
3        449.226    0.15                             
4         44.172    5.03   1.60311    60.6           
5        268.446  (可変)                             
6*        95.003    0.80   1.85150    40.8           
7         11.663    5.20                             
8        -36.717    0.70   1.81600    46.6           
9         29.723    0.15                             
10         27.029    4.49   1.85478    24.8           
11        -22.072   -0.14                             
12        -21.609    0.65   1.83481    42.7           
13       -290.245  (可変)                             
14(絞り)    ∞       1.00                             
15         18.501    1.61   1.56384    60.7           
16        143.057    0.51                             
17         14.062    0.90   2.00100    29.1           
18         10.124    4.02   1.49700    81.5           
19       -354.111  (可変)                             
20        -28.966    1.69   1.90366    31.3           
21        -13.305    0.50   1.69680    55.5           
22         38.632  (可変)                             
23         23.532    3.07   1.58913    61.1           
24        -24.593    0.80   1.84666    23.8           
25        508.567    0.76                             
26         17.126    2.93   1.58313    59.4           
27*       -84.305    0.17                             
28          ∞     (可変)                             
29         95.836    1.63   1.76182    26.5           
30      -1029.176    1.59   1.69680    55.5           
31         15.800  (可変)                             
32        -31.845    0.65   1.71300    53.9           
33        -76.964  (可変)                             
34         27.717    3.50   1.48749    70.2           
35        232.654  (可変)                             
36          ∞       1.00   1.54400    60.0           
37          ∞       2.07                             
像面        ∞   
【００８８】
非球面データ
第6面
K = 0.00000e+000  A 4= 4.58937e-006  A 6=-1.95268e-008  A 8=-3.41621e-011  A10= 2.63094e-013  
第27面
K = 0.00000e+000  A 4= 1.27786e-004  A 6=-1.34741e-007  A 8= 1.49999e-009  A10=-1.87239e-011  
各種データ
ズーム比     8.57 
焦点距離      15.28    44.53   130.97 
Fナンバー      3.67     5.67     6.30 
半画角（度）  41.80    17.05     5.95 
像高          13.66    13.66    13.66 
レンズ全長    96.51   116.56   143.14 
BF             7.74    27.72    33.65 
射出瞳位置
の距離 -41.57   -53.63   -62.78
d 5            0.70    16.87    41.58 
d13           20.09     6.90     1.79 
d19            2.85     4.80     6.52 
d22            3.70     1.76     0.04 
d28            2.55     2.93     0.56 
d31            6.46     6.08     8.46 
d33            3.09     0.18     1.22 
d35            5.02    25.00    30.93 
【００８９】
ズームレンズ群データ
群  始面    焦点距離  
1    1      75.87  
2    6     -12.19  
3   14      19.88  
4   20     -29.55  
5   23      19.53  
6   29     -28.22  
7   32     -76.65  
8   34      64.19  
9   36       ∞    
【００９０】
［数値データ５］
単位 mm
面データ
面番号       r        d      nd         νd
1        132.605    1.60   1.91082    35.3           
2         58.122    5.92   1.49700    81.5           
3       -244.066    0.15                             
4         48.149    4.75   1.59522    67.7           
5        294.080  (可変)                             
6         65.163    1.10   1.95375    32.3           
7         13.478    6.02                             
8        -31.204    0.80   1.77250    49.6           
9         55.267    0.15                             
10         27.307    4.51   1.84666    23.9           
11        -34.858    1.73                             
12        -20.085    0.85   1.69680    55.5           
13        -65.323  (可変)                             
14(絞り)    ∞       1.99                             
15*        13.290    4.12   1.58313    59.4           
16*       -69.801    1.10                             
17         25.242    0.74   1.83481    42.7           
18         12.854    1.29                             
19         28.547    0.60   1.90366    31.3           
20         13.758    2.80   1.69680    55.5           
21        294.210    3.10                             
22        106.272    3.35   1.51633    64.1           
23        -12.282    0.78   2.00069    25.5           
24        -16.562  (可変)                             
25         38.064    1.56   1.89286    20.4           
26        176.176    0.78   1.74951    35.3           
27         15.663  (可変)                             
28        -10.833    1.80   1.53160    55.8           
29*       -14.589  (可変)                             
30        -34.238    1.97   1.76200    40.1           
31        -25.948    4.85                             
32          ∞       1.00   1.54400    60.0           
33          ∞       1.50                             
像面        ∞   
【００９１】
非球面データ
第15面
K = 0.00000e+000  A 4=-3.92563e-005  A 6=-5.42634e-008  A 8= 9.79745e-010  A10=-1.69466e-011  
第16面
K = 0.00000e+000  A 4= 3.96295e-005  A 6=-4.82165e-008  A 8= 2.47142e-009  A10=-2.63605e-011  
第29面
K = 0.00000e+000  A 4=-1.74255e-005  A 6=-1.31890e-007  A 8= 7.00225e-010  A10=-9.96256e-012  
【００９２】
各種データ
ズーム比     5.52 
広角     中間     望遠
焦点距離      18.10    44.41   100.00  
Fナンバー      3.35     4.70     5.60  
半画角（度）  37.04    17.10     7.78  
像高          13.66    13.66    13.66  
レンズ全長   101.37   116.16   141.89  
BF             7.00     7.00     7.00  
射出瞳位置
の距離 -44.58   -73.02  -102.17
d 5            0.73    15.44    36.74  
d13           22.07     8.04     3.00  
d24            2.19     4.58     2.77  
d27           14.32    10.21    11.26  
d29            1.50    17.33    27.56  
【００９３】
ズームレンズ群データ
群  始面    焦点距離  
1    1      82.06  
2    6     -15.41  
3   14      19.87  
4   25     -42.04  
5   28     -94.95  
6   30     127.53  
7   32       ∞    
【００９４】
【表１】
2018022058.tif 000004
【符号の説明】
【００９５】
Ｌ１  第１レンズ群      Ｌ２  第２レンズ群      Ｌ３  第３レンズ群
Ｌ４  第４レンズ群      Ｌ５  第５レンズ群      Ｌ６  第６レンズ群
Ｌ７  第７レンズ群      Ｌ８  第８レンズ群      ＬＭ  中間群
【図１】
2018022058.tif 000005
【図２】
2018022058.tif 000006
【図３】
2018022058.tif 000007
【図４】
2018022058.tif 000008
【図５】
2018022058.tif 000009
【図６】
2018022058.tif 000010
【図７】
2018022058.tif 000011
【図８】
2018022058.tif 000012
【図９】
2018022058.tif 000013
【図１０】
2018022058.tif 000014
【図１１】
2018022058.tif 000015